(57)【要約】【課題】切断刃により、電線の絶縁体に切傷を付けること無く電線の編組を切断できる編組切断装置を提供する。【解決手段】絶縁体保護部９の先端部９ｄの外周に電線３の編組３ｃが被される様にして、絶縁体保護部９の先端部９ｄの筒内に電線３の絶縁体３ｂの一端部が挿入され、絶縁体保護部９の先端部９ｄに被された当該編組３ｃに対して回転刃の刃先が絶縁体保護部９の筒軸方向に直交する様に押し当てられて、その電線３がその軸心周りに回転されることで、前記回転刃により編組３ｃがその周方向に沿って切断されるので、即ち、絶縁体保護部９により電線３の絶縁体３ｂが保護された状態で回転刃により電線３の編組３ｃが切断されるので、回転刃（即ち切断刃）により、絶縁体３ｂに切傷を付けること無く編組３ｃを切断できる。【選択図】図４
2008005586.tif 000002
【特許請求の範囲】
【請求項１】
中心導体の外周に少なくとも絶縁体、編組および外被が順に被覆形成された電線の前記編組を切断する編組切断装置であって、
一端部の外被が皮剥されて編組が露出された電線を保持し、その電線と共にその電線の軸心回りに回転自在に支持された電線保持部と、
筒状に形成され、前記電線保持部に保持された前記電線の軸心の延長線上に同心状に回転自在に支持され、その先端部の外周に、前記電線保持部に保持された前記電線の一端部で露出する編組が被される様にして、その先端部の筒内に、前記電線保持部に保持された前記電線の絶縁体の一端部が挿入される絶縁体保護部と、
前記絶縁体保持部の外周に被された前記編組を押さえる様にして前記絶縁体保護部上に装着される編組押さえ部材と、
その中心軸周りに回転駆動自在に支持され、その刃先が前記絶縁体保護部の筒軸方向に直交する様に、前記絶縁体保護部に被された前記編組に押し当てられる回転刃と、
前記電線保持部と前記絶縁体保護部とを連動させて回転させて、前記電線保持部に保持された前記電線をその軸心回りに回転させることで、前記回転刃により前記編組をその周方向に沿って切断させる回転機構と、
を備えることを特徴とする編組切断装置。
【請求項２】
前記絶縁体保護部の前記先端部の外周面に、前記回転刃の刃先が入り込む溝が環状に周設されることを特徴とする請求項１に記載の編組切断装置。
【請求項３】
前記電線保持部は、
筒状に形成され、その一端部の筒周壁にその一端部開口側からその筒軸方向に沿って縮径用のスリット状の切り込みが複数設けられ、その筒内に前記電線が挿通される電線保持部本体と、
前記電線保持部本体の前記一端部の外周に着脱自在に装着され、その装着状態で前記一端部を外周側から締め付けて縮径させることで、前記電線保持部本体内に挿通された前記電線を保持させる筒状の締付部材と、
を備えることを特徴とする請求項１または請求項２に記載の編組切断装置。
【請求項４】
前記編組押さえ部材は、
前記絶縁体保護部の外周に着脱自在に装着される筒状の編組押さえ部材本体と、
前記編組押さえ部材本体の内周面上に配設され、前記編組押さえ部材本体が前記絶縁体保護部の外周に装着された状態で、前記絶縁体保護部に被された前記編組の外周に環装されるリング状弾性部材と、
を備えることを特徴とする請求項１〜請求項３の何れかに記載の編組切断装置。
【請求項５】
前記絶縁体保持部の前記先端部の筒周壁に、その先端部開口側からその筒軸方向に沿って縮径用のスリット状の切り込みが複数設けられ、
前記絶縁体保持部の前記先端部の外周に装着された前記編組押さえ部材により、前記先端部が外周側から締め付けられて縮径されることで、前記先端部内に挿入された前記絶縁体が保持されることを特徴とする請求項４に記載の編組切断装置。
【請求項６】
前記編組押さえ部材は、
回転可能に支持された滑車と、
前記絶縁体保護部に被された前記編組を介して前記絶縁体保護部の外周に掛けられると共に前記滑車に掛けられる環状の編組押さえベルトと、
前記編組押さえベルトに張力を与えて、前記編組押さえベルトにより、前記絶縁体保護部に被された前記編組を押さえさせる張力付与手段と、
を備え、  
前記回転機構は、前記電線保持部および前記絶縁体保護部の回転と連動させて前記滑車を回転させることで、前記絶縁体保持部に被せられた前記編組の回転に合わせて前記編組押さえベルトを循環回転させることを特徴とする請求項１〜請求項５の何れかに記載の編組切断装置。
【発明の詳細な説明】
【技術分野】
【０００１】
本発明は、中心導体の外周に少なくとも絶縁体、編組および外被が順に被覆形成された電線（編組シールド電線）の前記編組を切断する編組切断装置に関する。
【背景技術】
【０００２】
従来の編組切断装置は、図７の様に、両側から電線１０１の外周面に当てられる当て部材１０２と、その刃先１０３ａが電線１０１の外周面から電線１０１の軸心側に所定量（即ち外被１０４の厚さと編組１０５の厚さを足した量）突出する様に、当て部材１０２に配設された切断刃１０３と、当て部材１０２を、電線１０１の外周面に当てた状態で電線１０１の周りに回転させることで、切断刃１０３により編組１０５を周方向に沿って切断させる回転機構（不図示）とを備えている。
【０００３】
即ち、この編組切断装置では、電線１０１の外周面を基準として、切断刃１０３の刃先１０３ａが電線１０１の軸心側に所定量突出される様になっている。
【０００４】
尚、編組切断装置に関する先行技術として下記の技術が知られている。
【０００５】
【特許文献１】特開２００１−４５６２３号公報
【特許文献２】特開２００１−３２７０２７号公報
【特許文献３】特開２００２−１０１５１５号公報
【発明の開示】
【発明が解決しようとする課題】
【０００６】
一般に編組シールド電線１０１では、外被１０４の厚さが均一でなく、且つ外被１０４、編組１０５、絶縁体１０６が電線１０１の軸心から偏心している場合がある。そのため、上記の従来の編組切断装置の様に、電線１０１の外周面を基準として切断刃１０３を電線１０１の軸心側に所定量突出させる方法だと、当て部材１０２を回転させて切断刃１０３により編組１０５を周方向に沿って切断しようとした際に、編組１０５に切り残しが生じたり、その反対側では絶縁体１０６に切断刃１０３による切傷が入るという欠点があった。
【０００７】
また、一般に編組シールド電線１０１では、絶縁体１０６と編組１０５とが密着している。そのため、上記の従来の編組シールド電線では、切断刃１０３が絶縁体１０６まで切り込まないと編組１０５を完全に切断できないという欠点、即ち編組１０５の切り残しを無くそうとすると、必然的に絶縁体１０６に切断刃１０３による切傷が入るという欠点があった。
【０００８】
そこで、この発明の課題は、切断刃により、電線の絶縁体に対する切傷を防止しつつ電線の編組を切断できる編組切断装置を提供することにある。
【課題を解決するための手段】
【０００９】
上記課題を解決する為に、請求項１に記載の発明は、中心導体の外周に少なくとも絶縁体、編組および外被が順に被覆形成された電線の前記編組を切断する編組切断装置であって、一端部の外被が皮剥されて編組が露出された電線を保持し、その電線と共にその電線の軸心回りに回転自在に支持された電線保持部と、筒状に形成され、前記電線保持部に保持された前記電線の軸心の延長線上に同心状に回転自在に支持され、その先端部の外周に、前記電線保持部に保持された前記電線の一端部で露出する編組が被される様にして、その先端部の筒内に、前記電線保持部に保持された前記電線の絶縁体の一端部が挿入される絶縁体保護部と、前記絶縁体保持部の外周に被された前記編組を押さえる様にして前記絶縁体保護部上に装着される編組押さえ部材と、その中心軸周りに回転駆動自在に支持され、その刃先が前記絶縁体保護部の筒軸方向に直交する様に、前記絶縁体保護部に被された前記編組に押し当てられる回転刃と、前記電線保持部と前記絶縁体保護部とを連動させて回転させて、前記電線保持部に保持された前記電線をその軸心回りに回転させることで、前記回転刃により前記編組をその周方向に沿って切断させる回転機構と、を備えるものである。
【００１０】
請求項２に記載の発明は、前記絶縁体保護部の前記先端部の外周面に、前記回転刃の刃先が入り込む溝が環状に周設されるものである。
【００１１】
請求項３に記載の発明は、前記電線保持部は、筒状に形成され、その一端部の筒周壁にその一端部開口側からその筒軸方向に沿って縮径用のスリット状の切り込みが複数設けられ、その筒内に前記電線が挿通される電線保持部本体と、前記電線保持部本体の前記一端部の外周に着脱自在に装着され、その装着状態で前記一端部を外周側から締め付けて縮径させることで、前記電線保持部本体内に挿通された前記電線を保持させる筒状の締付部材と、を備えるものである。
【００１２】
請求項４に記載の発明は、前記編組押さえ部材は、前記絶縁体保護部の外周に着脱自在に装着される筒状の編組押さえ部材本体と、前記編組押さえ部材本体の内周面上に配設され、前記編組押さえ部材本体が前記絶縁体保護部の外周に装着された状態で、前記絶縁体保護部に被された前記編組の外周に環装されるリング状弾性部材と、を備えるものである。
【００１３】
請求項５に記載の発明は、前記絶縁体保持部の前記先端部の筒周壁に、その先端部開口側からその筒軸方向に沿って縮径用のスリット状の切り込みが複数設けられ、前記絶縁体保持部の前記先端部の外周に装着された前記編組押さえ部材により、前記先端部が外周側から締め付けられて縮径されることで、前記先端部内に挿入された前記絶縁体が保持されるものである。
【００１４】
請求項６に記載の発明は、前記編組押さえ部材は、回転可能に支持された滑車と、前記絶縁体保護部に被された前記編組を介して前記絶縁体保護部の外周に掛けられると共に前記滑車に掛けられる環状の編組押さえベルトと、前記編組押さえベルトに張力を与えて、前記編組押さえベルトにより、前記絶縁体保護部に被された前記編組を押さえさせる張力付与手段と、を備え、前記回転機構は、前記電線保持部および前記絶縁体保護部の回転と連動させて前記滑車を回転させることで、前記絶縁体保持部に被せられた前記編組の回転に合わせて前記編組押さえベルトを循環回転させるものである。
【発明の効果】
【００１５】
請求項１に記載の発明によれば、絶縁体保護部の先端部の外周に電線の編組が被される様にして、絶縁体保護部の先端部の筒内に電線の絶縁体の一端部が挿入され、絶縁体保護部の先端部に被された当該編組に対して回転刃の刃先が絶縁体保護部の筒軸方向に直交する様に押し当てられて、その電線がその軸心周りに回転されることで、回転刃により編組がその周方向に沿って切断されるので、即ち、絶縁体保護部により電線の絶縁体が保護された状態で回転刃により電線の編組が切断されるので、回転刃により、絶縁体に切傷を付けること無く編組を切断できる。
【００１６】
また、編組押さえ部材が、絶縁体保護部の外周に被された編組を押さえる様にして絶縁体保護部上に装着されるので、編組押さえ部材により電線の編組のばらけを防止できる。
【００１７】
また、電線保持部により電線を保持し、その電線保持部を回転機構により回転させることで、電線を回転させるので、電線をその軸周りにスムーズに回転させる事ができる。またその際、絶縁体保護部を回転自在に支持し、その絶縁体保護部を回転機構により電線保持部の回転に連動させて回転させるので、絶縁体保護部に被された編組が乱れる事を防止できる。
【００１８】
請求項２に記載の発明によれば、絶縁体保護部の先端部の外周面に、回転刃の刃先が入り込む溝が環状に周設されるので、回転刃の刃先が編組を介して前記溝内に入り込むことにより、編組を切り残こすこと無く完全に切断する事ができる。
【００１９】
請求項３に記載の発明によれば、電線保持部は、筒状に形成され、その一端部の筒周壁にその一端部開口側からその筒軸方向に沿って縮径用のスリット状の切り込みが複数設けられ、その筒内に前記電線が挿通される電線保持部本体と、前記電線保持部本体の前記一端部の外周に着脱自在に装着され、その装着状態で前記一端部を外周側から締め付けて縮径させることで、前記電線保持部本体内に挿通された前記電線を保持させる筒状の締付部材とを備えるので、前記電線をしっかりと保持できる。
【００２０】
請求項４に記載の発明によれば、編組押さえ部材は、絶縁体保護部の外周に着脱自在に装着される筒状の編組押さえ部材本体と、前記編組押さえ部材本体の内周面上に配設され、前記編組押さえ部材本体が前記絶縁体保護部の外周に装着された状態で、前記絶縁体保護部に被された前記編組の外周に環装されるリング状弾性部材とを備えるので、編組押さえ部材本体を編組を介して絶縁体保護部の外周に装着するだけで、編組押さえ部材本体に配設されたリング状弾性部材により編組をばらけない様に押さえる事ができる。
【００２１】
請求項５に記載の発明によれば、絶縁体保持部の先端部の筒周壁に、その先端部開口側からその筒軸方向に沿って縮径用のスリット状の切り込みが複数設けられ、絶縁体保持部の前記先端部の外周に装着された編組押さえ部材により、前記先端部が外周側から締め付けられて縮径されることで、前記先端部内に挿入された前記絶縁体が保持されるので、絶縁体保持部の先端部に挿入された電線の絶縁体が絶縁体保持部の先端部から外れる事を防止できる。
【００２２】
請求項６に記載の発明によれば、編組押さえ部材は、回転自在に支持された滑車と、絶縁体保護部に被された前記編組を介して絶縁体保護部の外周に掛けられると共に滑車に掛けられる環状の編組押さえベルトと、前記編組押さえベルトに張力を与えて、前記編組押さえベルトにより、前記絶縁体保護部に被された前記編組を押さえ付けさせる張力付与手段とを備えており、回転機構により、電線保持部および絶縁体保護部の回転と連動させて前記滑車を回転させることで、絶縁体保持部に被せられた編組の回転に合わせて編組押さえベルトを循環回転させる様になっているので、編組押さえベルトを絶縁体保護部に被された編組を介して絶縁体保護部の外周に掛けて、その編組押さえベルトに張力付与手段により張力を与えるだけで、編組押さえベルトにより、絶縁体保護部に被された編組をばらけない様に押さえる事ができる。そして、回転機構による組押さえベルトの循環回転により、組押さえベルトにより電線の回転が妨げられる事を防止できる。
【発明を実施するための最良の形態】
【００２３】
＜実施の形態＞
この実施の形態に係る編組切断装置１は、図１の様に中心導体３ａの外周に絶縁体３ｂ、編組（例えば一重または複数重の編組）３ｃおよび外被３ｄが順に被覆形成された電線３における編組３ｃを切断するものであって、図２の様に、機枠５と、機枠５に回転自在に支持され、電線３を保持する電線保持部７と、機枠５に回転自在に支持され、電線３の絶縁体３ｂを保護する絶縁体保護部９と、電線３の編組３ｃのばらつきを押さえる編組押さえ部材１１と、機枠５に配設され、電線３の編組３ｃを切断する切断機１３と、機枠５に配設され、電線保持部７と絶縁体保護部９とを連動させて回転させる回転機構１５とを備える。
【００２４】
電線保持部７は、図２および図３の様に、その内径が電線３の外径と略同寸法の筒状に形成された電線保持部本体７ａと、電線保持部本体７ａの一端部７ｂの外周に着脱自在に装着（ここでは螺着）される筒状の締付部材７ｃと、電線保持部本体７ａの他端部７ｄに外嵌状に固設され、編組押さえ部材１１が着脱自在に装着（ここでは螺着）される筒状の編組押さえ部材装着部７ｅと、電線保持部本体７ａの外周に同心状に固設され、回動機構１５の後述の歯車１５ｂと歯合する第１の歯車７ｆと、電線保持部本体７ａの外周に所定間隔あけて設けられ、電線保持部本体７ａにおけるその筒軸方向の位置を規制する一対のフランジ部７ｇとを備える。
【００２５】
電線保持部本体７ａの一端部７ｂの筒周壁には、その一端部７ｂ側の開口側からその筒軸方向に沿って縮径用のスリット状の切り込み７ｎが複数（例えば上下左右に４つ）設けられている。またその一端部７ｂの外周面には、締付部材７ｃと螺着するためのネジ山７ｈが形成されている。またその一端部７ｂの外周面の最端周面部７ｉは、その最端周面部７ｉでの外径が漸次先細となる様に傾斜されている。
【００２６】
締付部材７ｃの内周面には、電線保持部本体７ａのネジ山７ｈと螺合する螺溝７ｊが形成されている。また締付部材７ｃの内周面の最端周面部７ｋは、その最端周面部７ｋでの内径が漸次先細となる様に傾斜されている。
【００２７】
編組押さえ部材装着部７ｅは、電線保持部本体７ａの他端部７ｄより先方に適宜長さ突出する様に電線保持部本体７ａの他端部７ｄに外嵌状に固定されている。そしてその突出した部分の内周面には、編組押さえ部材１１と螺着するための螺溝７ｍが形成されている。
【００２８】
この様に構成された電線保持部７は、その一対のフランジ部７ｇの間の部分において、その一対のフランジ部７ｇによりその筒軸方向への移動が規制される様にして、機枠５に配設された支持部５ａにより回転自在に支持されている。
【００２９】
この電線保持部７に電線３を保持させるには、締付部材７ｃが電線保持部本体７ａの一端部７ｂに仮装着された状態（即ち一端部７ｂの奥までに十分に螺着されていない状態）で、電線保持部本体７ａの他端部７ｄ側から電線３の一端部が突出する様にして電線保持部本体７ａ内に電線３を挿通させ、その挿通状態で締付部材７ｃを電線保持部本体７ａの一端部７ｂに本装着させる（即ち一端部７ｂの奥まで完全に螺着させる）。この本装着により、締付部材７ｃの内周面の最端周面部７ｋが電線保持部本体７ａの一端部７ｂの最端周面部７ｉに外周側から押し当たって一端部７ｂが縮径され、この縮径により電線保持部本体７ａ内に挿通された電線３が固定状に保持される。
【００３０】
この保持状態では、電線保持部７の筒軸と電線３の軸心とは一致している。そしてこの保持状態で電線保持部７がその筒軸周りに回転されると、電線保持部７と共に電線３がその軸心周りに回転される様になっている。
【００３１】
絶縁体保護部９は、図２および図４の様に、その内径が電線３の絶縁体３ｂの外径と略同寸法の筒状に形成された絶縁体保護部本体９ａと、絶縁体保護部本体９ａの外周に同心状に固設され、回動機構１５の後述の歯車１５ｆと歯合する第２の歯車９ｂとを備える。
【００３２】
絶縁体保護部本体９ａの先端部９ｄの外周面の最端周面部９ｅは、その最端周面部９ｅでの外径が漸次先細となる様に傾斜されている。またその先端部９ｄの外周面には、切断機１３の後述の回転刃１３ａの刃先が入り込む溝９ｉが環状に周設されている。またその先端部９ｄの後部には、その外径が一段大きくされた太径部９ｈが形成されており、その太径部９ｈの外周面に、編組押さえ部材１１と螺合するためのネジ山９ｆが形成されている。
【００３３】
尚、太径部９ｈと第２の歯車９ｂは、絶縁体保護部本体９ａにおけるその筒軸方向の位置を規制するためのフランジ部の役目も果たしている。
【００３４】
この様に構成された絶縁体保護部本体９ａは、その太径部９ｈおよび第２の歯車９ｂの間の部分において、その太径部９ｈおよび第２の歯車９ｂによりその筒軸方向への移動が規制される様にして、機枠５に配設された支持部５ｂにより回転自在に支持されている。そしてこの支持状態では、絶縁体保護部本体９ａは、その先端部９ｄが電線保持部７側に向けられた状態で、電線保持部７の筒軸（即ち電線保持部７に保持された電線３の軸心）の延長線上に同心状に回転自在に支持されている。
【００３５】
そしてこの絶縁体保護部本体９ａでは、その先端部９ｄの筒内に電線３の絶縁体３ｂが挿入されることで、電線３の絶縁体３ｂを保護する様になっている。その際、電線３の編組３ｃは、その先端部９ｄの外周に被される様になっている。
【００３６】
編組押さえ部材１１は、図２および図４の様に、絶縁体保護部９の先端部９ｄの外周に着脱自在に装着（ここでは螺着）される筒状の編組押さえ部材本体１１ａと、編組押さえ部材本体１１ａの内周面上に配設され、編組押さえ部材本体１１ａが絶縁体保護部９の先端部９ｄの外周に装着された状態で、絶縁体保護部９に被された編組３ｃの外周に環装されるリング状弾性部材（例えばＯリング）１１ｂとを備える。
【００３７】
編組押さえ部材本体１１ａでは、その一端部１１ｃ側の内径が、絶縁体保護部９の先端部９ｄの外径よりも少し（電線３の編組３ｃの厚さ程度）大きく形成され、他方、その他端部１１ｄ側の内径は、絶縁体保護部９の太径部９ｈの外径と略同寸法に形成されている。そしてその一端部１１ｃ側の外周面には、電線保持部７の編組押さえ部材装着部７ｅの螺溝７ｍに螺合するネジ山１１ｅが形成されている。またその一端部１１ｃ側の内周面には、位置決め溝１１ｆが環状に周設されており、その位置決め溝１１ｆ内にリング状弾性部材１１ｇが配置されている。またその他端部１１ｄ側の内周面には、絶縁体保護部９のネジ山９ｆに螺合する螺溝１１ｈが形成されている。
【００３８】
尚、この編組押さえ部材１１は、初期的には電線保持部７の編組押さえ部材装着部７ｅに着脱自在に装着されている。
【００３９】
この様に構成された編組押さえ部材１１は、絶縁体保護部９の先端部９ｄの筒内に電線３の絶縁体３ｂの一端部が挿入され且つ絶縁体保護部９の先端部９ｄの外周に電線３の編組３ｃが被された状態で、絶縁体保護部９の先端部９ｄ側から先端部９ｄの外周に填められて螺着される。この螺着状態では、編組押さえ部材１１に配設されたリング状弾性部材１１ｇが絶縁体保護部９に被された編組３ｃの外周に環装され、そのリング状弾性部材１１ｇによりその編組３ｃがばらけない様に押さえられる。またこの螺着状態では、編組押さえ部材１１は、絶縁体保護部９の先端部９ｄにおける溝９ｉよりも奥に配置されている。
【００４０】
切断機１３は、図２の様に、例えば略円形の回転刃１３ａと、回転刃１３ａをその中心軸周りに回転駆動するモータ等の駆動部１３ｂとを備える。
【００４１】
この切断機１３は、その回転刃１３ａが絶縁体保護部９の筒軸方向に直交した状態で絶縁体保護部９に対して接近・離反可能な様に、図示省略の接近・離反機構を介して機枠５に配設されている。その切断機１３が絶縁体保護部９に接近した状態では、回転刃１３ａの刃先が絶縁体保護部９の先端部９ｄの溝９ｉ内に入り込む様になっている。
【００４２】
回転機構１５は、図２の様に、機枠５に水平に固定された第１の軸部１５ａに回転自在に配設され、電線保持部７の第１の歯車７ｆと歯合する第３の歯車１５ｂと、第３の歯車１５ｂに同心状に固定された第１の滑車１５ｃと、機枠５の支持部５ｂに回転自在に水平に配設された第２の軸部１５ｄに同心状に固定され、絶縁体保護部９の第２の歯車９ｂと歯合する第４の歯車１５ｆと、第２の軸部１５ｄに同心状に固定された第２の滑車１５ｇと、機枠５に回転自在に水平に配設された第３の軸部１５ｈに同心状に固定された第３の滑車１５ｉおよび第４の滑車１５ｊと、第３の軸部１５ｈに固定されたハンドル部１５ｋと、第１の滑車１５ｃと第３の滑車１５ｉとに渡って掛けられた第１の環状ベルト１５ｍと、第２の滑車１５ｇと第４の滑車１５ｊとに渡って掛けられた第２の環状ベルト１５ｎとを備える。
【００４３】
この回転機構１５では、手動でハンドル部１５ｋを回転させると、第３の軸部１５ｈを介して第３の滑車１５ｉおよび第４の滑車１５ｊが回転される。そしてその第３の滑車１５ｉの回転により第１の環状ベルト１５ｍを介して第１の滑車１５ｃが回転され、この回転により第３の歯車１５ｂを介して電線保持部７の第１の歯車ｆが回転されて電線保持部７がその筒軸周りに回転される。他方、これに連動して、その第４の滑車１５ｊの回転により第２の環状ベルト１５ｎを介して第２の滑車１５ｇが回転され、この回転により第４の歯車１５ｆが回転され、この回転により絶縁体保護部９の第２の歯車９ｂが回転されて絶縁体保護部９がその筒軸周りに電線保持部７と同じ速度で回転される。この様にして、ハンドル部１５ｋが回転されると、電線保持部７および絶縁体保護部９が連動して回転される様になっている。
【００４４】
次にこの編組切断装置１の動作を説明する。
【００４５】
まず図１の様に、その一端部側で外皮３ｄが皮剥されて編組３ｃが露出した電線３を準備する。
【００４６】
そして図３の様に、その電線３を電線保持部７の一端部７ｂ側から電線保持部７内に挿通させて、その電線３の一端部（編組３ｃを露出した一端部）を電線保持部７の他端部７ｄから突出させる。そして図４の様に、その突出させた一端部の絶縁体３ｂを絶縁体保護部９の先端部９ｄの筒内の挿入させ、且つその突出させた一端部の編組３ｃを絶縁体保護部９の先端部９ｄの外周に被せる。そしてこの状態で、電線保持部本体７ａの一端部７ｂに仮装着されている締付部材７ｃを一端部７ｂに本装着させて（即ち一端部７ｂの奥まで螺着させて）、その電線３を電線保持部７に保持させる。
【００４７】
そして図４の様に、電線保持部７に初期的に着脱自在に装着されている編組押さえ部材１１を脱着し、その編組押さえ部材１１を、電線３に沿って絶縁体保護部９の先端部９ｄの外周に移動させて先端部９ｄに装着させる。この装着状態では、編組押さえ部材１１に設けられたリング状弾性部材１１ｂが絶縁体保護部９の先端部９ｄに被せられた編組３ｃの外周に環装され、そのリング状弾性部材１１ｂにより、絶縁体保護部９の先端部９ｄに被せられた編組３ｃがばらけない様に押さえられている。
【００４８】
そして切断機１３を、その回転刃１３ａの刃先が絶縁体保護部９の先端部９ｄに被された編組３ｃに押し当てられて先端部９ｄの溝９ｉ内に入り込む様に、絶縁体保護部９側に平行移動させる。
【００４９】
そしてこの状態で、回転刃１３ａを回転駆動させると共に、手動でハンドル部１５ｋを回転させて電線保持部７および絶縁体保護部９を連動させて回転させて、電線保持部７に保持された電線３をその軸心周りに回転させる。これにより、回転刃１３ａにより編組３ｃがその周方向に沿って切断される。
【００５０】
以上の様に構成された編組切断装置１によれば、絶縁体保護部９の先端部９ｄの外周に電線３の編組３ｃが被される様にして、絶縁体保護部９の先端部９ｄの筒内に電線３の絶縁体３ｂの一端部が挿入され、絶縁体保護部９の先端部９ｄに被された当該編組３ｃに対して回転刃１３ａの刃先が絶縁体保護部９の筒軸方向に直交する様に押し当てられて、その電線３がその軸心周りに回転されることで、回転刃１３ａにより編組３ｃがその周方向に沿って切断されるので、即ち、絶縁体保護部９により電線３の絶縁体３ｂが保護された状態で回転刃１３ａにより電線３の編組３ｃが切断されるので、回転刃（即ち切断刃）１３ａにより、絶縁体３ｂに対する切傷を防止しつつ編組３ｃを切断できる。
【００５１】
また、編組押さえ部材１１が、絶縁体保護部９の外周に被された編組３ｃを押さえる様にして絶縁体保護部９上に装着されるので、編組押さえ部材１１により電線３の編組３ｃのばらけを防止できる。
【００５２】
また、電線保持部７により電線３を保持し、その電線保持部７を回転機構１５により回転させることで、電線３を回転させるので、電線３をその軸周りにスムーズに回転させる事ができる。またその際、絶縁体保護部９を回転自在に支持し、その絶縁体保護部９を回転機構１５により電線保持部７の回転に連動させて回転させるので、絶縁体保護部９に被された編組３ｃが乱れる事を防止できる。
【００５３】
また、絶縁体保護部９の先端部９ｄの外周面に、回転刃１３ａの刃先が入り込む溝９ｉが環状に周設されるので、回転刃１３ａの刃先が編組３ｃを介して溝９ｉ内に入り込むことにより、編組３ｃを切り残こすこと無く、より完全に切断する事ができる。
【００５４】
また、電線保持部７は、その一端部７ｂの筒周壁にその一端部開口側からその筒軸方向に沿って縮径用のスリット状の切り込み７ｎが複数設けられ、その筒内に電線３が挿通される電線保持部本体７ａと、電線保持部本体７ａの一端部７ｂの外周に着脱自在に装着され、その装着状態で一端部７ｂを外周側から締め付けて縮径させることで、電線保持部本体７ａ内に挿通された電線３を保持させる筒状の締付部材７ｃとを備えるので、電線３をしっかりと保持できる。
【００５５】
また、編組押さえ部材１１は、絶縁体保護部９の外周に着脱自在に装着される筒状の編組押さえ部材本体１１ａと、編組押さえ部材本体１１ａの内周面上に配設され、編組押さえ部材本体１１ａが絶縁体保護部９の外周に装着された状態で、絶縁体保護部９に被された編組３ｃの外周に環装されるリング状弾性部材１１ｂとを備えるので、編組押さえ部材本体１１ａを編組３ｃを介して絶縁体保護部９の外周に装着するだけで、編組押さえ部材本体１１ａに配設されたリング状弾性部材１１ｂにより編組３ｃをばらけない様に押さえる事ができる。
【００５６】
尚、この実施の形態では、ハンドル部１５ｋによって手動で回転機構１５を動かしたが、ハンドル部１５ｋの代わりにモータ等の駆動手段を用いて回転機構１５を例えば電動で動かす様にしてもよい。
【００５７】
＜変形例１＞
上記の実施の形態において更に、絶縁体保持部９の先端部９ｄの筒周壁に、その先端部開口側からその筒軸方向に沿って縮径用のスリット状の切り込みを複数設け、絶縁体保持部９の先端部９ｄの外周に装着された編組押さえ部材により、先端部９ｄを外周側から締め付けて縮径させることで、先端部９ｄ内に挿入された絶縁体３を固定状に保持する様にしてもよい。この様にすれば、絶縁体保持部９の先端部９ｄに挿入された電線の絶縁体３ｂが、絶縁体保持部９の先端部９ｄから外れる事を防止できる。
【００５８】
＜変形例２＞
上記の実施の形態では、編組押さえ部材１１として筒状の編組押さえ部材本体１１ａとリング状弾性部材１１ｂとを用いて電線３の編祖３ｃをばらけない様に押さえたが、この変形例では、図５の様に、編組押さえ部材１７として主として環状の編組押さえベルト１７ｂを用いて電線３の編組３ｃをばらけない様に押さえる点が主に相違している。以下、上記の実施の形態と異なる点だけ説明する。
【００５９】
即ち、この変形例の編組押さえ部材１７は、図５および図６の様に、後述の回転機構１９の回転可能な軸部１９ａに同心状に固定された（即ち回転可能に支持された）滑車１７ａと、絶縁体保護部９の先端部９ｄに被された編組３ｃを介して絶縁体保護部９の先端部９ｄの外周および滑車１７ａに渡って掛けられる環状の編組押さえベルト１７ｂと、編組押さえベルト１７ｂの通路を規定するガイド部１７ｃおよび固定滑車１７ｄ（図６）と、編組押さえベルト１７ｂに張力を与えて、編組押さえベルト１７ｂにより、絶縁体保護部９の先端部９ｄに被された編組３ｃを押さえさせる張力付与手段１７ｅ（図６）とを備える。
【００６０】
尚、ガイド部１７ｃ、固定滑車１７ｄおよび張力付与手段１７ｅは、図示省略の機枠（上記の実施の形態の機枠５に対応するもの）に固定されている。
【００６１】
張力付与機構（張力付与手段）１７ｅは、図６の様に、編組押さえベルト１７ｂに掛けられた動滑車（ここでは編組押さえベルト１７ｂを狭持する様に適宜間隔あけて連結部材１７ｆで相互連結された一対の動滑車）１７ｇと、動滑車１７ｇを所定方向（例えば横方向）に往復移動自在に支持すると共に、動滑車１７ｇを引っ張って横方向に移動させ、その動滑車１７ｇの移動により編組押さえベルト１７ｂを引っ張って編組押さえベルト１７ｂに張力を付与する他に、動滑車１７ｇの引っ張りを解除して編組押さえベルト１７ｂを弛ませる張力装置（例えばエア式または油圧式のシリンダ）１７ｈとを備える。
【００６２】
この様に構成された張力付与機構１７ｅでは、絶縁体保護部９の先端部９ｄの外周に電線３の編組３ｃを被せる際には、張力装置１７ｈによる動滑車１７ｇの引っ張りを解除して編組押さえベルト１７ｂを弛ませておき、絶縁体保護部９の先端部９ｄの外周に電線３の編組３ｃを被せて、その編組３ｃを介して絶縁体保護部９の先端部９ｄの外周に編組押さえベルト１７ｂを掛けた後、張力装置１７ｈにより動滑車１７ｇを引っ張って編組押さえベルト１７ｂに張力を与えて、その編組押さえベルト１７ｂにより編組３ｃを押さえさせる。この編組押さえベルト１７ｂの押さえにより、編組３ｃは、編組押さえベルト１７ｂと当接する範囲において、編組押さえベルト１７ｂにより、ばらけない様に押さえられる。
【００６３】
尚、この変形例では、切断機１３の回転刃１３ａは、編組３ｃのうち、編組押さえベルト１７ｂにより押さえられた側に押し当てられる様になっている。
【００６４】
この変形例の電線保持部７は、図５の様に、上記の実施の形態の電線保持部７と比べて、第１の歯車７ｆの代わりに、電線保持部本体７ａの外周に同心状に固定された滑車７ｐを備える点、および編組押さえ部材装着部１１ｅが省略されている点が異なる以外は同様に構成されており、また上記の実施の形態の場合と同様にして前記機枠に回転自在に支持されている（尚、図５の電線保持部７は、便宜上、締付部材７ｃ等が図示されず簡略化されて図示されている）。
【００６５】
またこの変形例の絶縁体保護部９は、図５の様に、上記の実施の形態の絶縁体保護部９と比べて、第２の歯車９ｂの代わりに、絶縁体保護部本体９ａの外周に同心状に固定された滑車９ｊを備える点、およびネジ山１１ｈが省略されている点が異なる以外は同様に構成されており、また上記の実施の形態の場合と同様にして前記機枠に回転自在に支持されている（尚、図５の絶縁体保護部９は、便宜上簡略化されて図示されている）。
【００６６】
またこの変形例の回転機構１９は、図５の様に、前記機枠に回転自在に支持された軸部１９ａと、軸部１９ａに同心状に固定された２つの滑車１９ｂ，１９ｃと、滑車７ｐと滑車１９ｂとに渡って掛けられた第１の環状ベルト１９ｅと、滑車９ｊと滑車１９ｃとに渡って掛けられた第２の環状ベルト１９ｆと、軸部１９ａを回転駆動するモータ等の駆動部１９ｄとを備える。軸部１９ａには、滑車１７ａが同心状に固定されている。
【００６７】
この様に構成された回転機構１９では、駆動部１９ｄにより軸部１９ａが回転駆動されると、軸部１９ａの回転に伴って各滑車１９ｂ，１９ｃ，１７ａが回転される。そして、その滑車１９ｂの回転により第１の環状ベルト１９ｅを介して滑車７ｐが回転され、この回転により電線保持部７がその筒軸周りに回転され、この回転により電線保持部７に保持された電線３がその軸心周りに回転される。またこれに連動して、その滑車１９ｃの回転により第２の環状ベルト１９ｆを介して滑車９ｊが回転され、この回転により絶縁体保護部９がその筒軸周りに電線保持部７と同じ速度で回転される。またこれらに連動して、その滑車１７ａの回転により編組押さえベルト１７ｂが、絶縁体保護部９の先端部９ｄに被された編組３ｃの回転と同じ速度で循環回転され、この循環回転により、編組押さえベルト１７ａにより、絶縁体保護部９の先端部９ｄに被された編組３ｃがばらけない様に押さえられる。
【００６８】
尚、この変形例の編組切断装置１Ｂの動作説明は、上記の実施の形態の編組切断装置１の動作説明と比べて、上記の構成の相違部分による違いを除いて同様なので省略する。
【００６９】
以上の様に構成された電線切断装置１Ｂによれば、編組押さえ部材１７は、回転自在に支持された滑車１７ａと、絶縁体保護部９に被された編組３ｃを介して絶縁体保護部９の外周に掛けられると共に滑車１７ａに掛けられる環状の編組押さえベルト１７ｂと、編組押さえベルト１７ｂに張力を与えて、編組押さえベルト１７ｂにより、絶縁体保護部９に被された編組３ｃを押さえ付けさせる張力付与機構１７ｅとを備えており、回転機構１９により、電線保持部７および絶縁体保護部９の回転と連動させて滑車１７ａを回転させることで、絶縁体保持部９に被せられた編組３ｃの回転に合わせて編組押さえベルト１７ｂを循環回転させる様になっているので、編組押さえベルト１７ｂを絶縁体保護部９に被された編組３ｃを介して絶縁体保護部９の外周に掛けて、その編組押さえベルト１７ｂに張力付与機構１７ｅにより張力を与えるだけで、編組押さえベルト１７ｂにより、絶縁体保護部９に被された編組３ｃをばらけない様に押さえる事ができる。そして、回転機構１９による組押さえベルト１７ｂの循環回転により、編組押さえベルト１７ｂにより電線３の回転が妨げられる事を防止できる。
【図面の簡単な説明】
【００７０】
【図１】電線の側面視の断面図である。
【図２】本発明の実施の形態に係る編組切断装置の構成概略図である。
【図３】図２の電線保持部７の拡大断面図である。
【図４】図２の絶縁体保護部９の拡大断面図である。
【図５】変形例に係る編組切断装置の簡略化構成図である。
【図６】図５のVI-VI断面概略図である。
【図７】従来の編組切断装置の構成概略図である。
【符号の説明】
【００７１】
１，１Ｂ  編組切断装置
３  電線
３ｂ  絶縁体
３ｃ  編組
７  電線保持部
７ａ  電線保持部本体
７ｃ  締付部材
７ｅ  編組押さえ部材装着部
７ｆ  第１の歯車
７ｎ  切り込み
７ｐ  滑車
９  絶縁体保護部
９ａ  絶縁体保護部本体
９ｂ  第２の歯車
９ｄ  先端部
９ｉ  溝
９ｊ  滑車
１１  編組押さえ部材
１１ａ  編組押さえ部材本体
１１ｂ  リング状弾性部材
１１ｆ  位置決め溝
１１ｇ  リング状弾性部材
１３  切断機
１３ａ  回転刃
１５  回転機構
１５ｂ  第３の歯車
１５ｃ  滑車
１５ｆ  第４の歯車
１５ｇ  滑車
１５ｉ  第３の滑車
１５ｊ  第４の滑車
１５ｋ  ハンドル部
１５ｍ  第１の環状ベルト
１５ｎ  第２の環状ベルト
１７  編組押さえ部材
１７ａ  滑車
１７ｂ  編組押さえベルト  
１７ｅ  張力付与機構
１９  回転機構
１９ｂ，１９ｃ  滑車
１９ｄ  駆動部
１９ｅ  第１の環状ベルト
１９ｆ  第２の環状ベルト
【図１】
2008005586.tif 000003
【図２】
2008005586.tif 000004
【図３】
2008005586.tif 000005
【図４】
2008005586.tif 000006
【図５】
2008005586.tif 000007
【図６】
2008005586.tif 000008
【図７】
2008005586.tif 000009